(57)【要約】  絵画ハンガは、壁に掛ける額縁のワイヤ（２８）を受けるための舌部（１４）がそこから打ち抜き加工される金属のベース（１２）を備える。舌部はベース（１２）の前面（１６）に対して凸面形状をもち、ワイヤが載るベースの棚部（５０）が、ベースの前面（１６）から延びる突出部（６０）を支える。舌部（１４）は、ベース（１２）から離れて延びるにつれて、角度が段々増加する湾曲部を備える。
2005510270.tif 000002
【特許請求の範囲】
【請求項１】
壁に掛けるように適合された物体用のハンガにおいて、
前記壁に固定して取り付けるべきベースと、
前記ベースから延びる舌部であって、前記ベースが前記壁に取り付けられたとき、前記舌部の実質的な部分が、前記舌部の一端が前記ベースと交差して交差部を形成する前記ベースの領域からほぼ上方向に延びるように構成される舌部と、
前記ベースが前記壁に取り付けられたとき、前記物体に取り付けられた細長い支持構造物を受けそれを保持するように配置された前記交差部に極めて接近した舌部セグメントとを含み、
ほぼ上方向に延びる前記舌部部分が中央領域と両縁部とを含み、前記舌部部分の前記両縁部が、前記中央領域と比べて、前記ベースの後面を画定する平面からより離れており、前記舌部セグメントが前記細長い支持構造体を受けるための支持表面を備え、前記ベースが前記壁に取り付けられたとき、前記支持表面が水平に延び、前記ベースの平らな前面と、前記ベースに面する前記舌部の垂直に延びる表面との間の前記支持表面の前記水平範囲が、前記細長い支持構造体を支持しそれを受けるための棚部を形成するのに十分であるハンガ。
【請求項２】
壁に掛けるように適合された物体用のハンガにおいて、
前記壁に固定して取り付けるべきベースと、
前記ベースから延びる舌部であって、前記ベースが前記壁に取り付けられたとき、前記舌部の実質的な部分が、前記舌部の一端が前記ベースと交差して交差部を形成する前記ベースの領域からほぼ上方向に延びるように構成される舌部と、
前記ベースが前記壁に取り付けられたとき、前記物体に取り付けられた細長い支持構造物を受けそれを保持するように配置された前記交差部に極めて接近した舌部セグメントとを含み、
前記ベースが前記舌部の下で前記ベースの前面の先まで延びる突出部を含むハンガ。
【請求項３】
前記突出部が、前記後面から離れて延びるディンプルとして形成される請求項２に記載のハンガ。
【請求項４】
ほぼ上方向に延びる前記舌部部分が、中央領域と両縁部とを含み、前記舌部部分の前記両縁部が、前記中央領域と比べて、前記ベースの後面を画定する平面からより離れている請求項２または３に記載のハンガ。
【請求項５】
前記実質的な舌部部分が、前記舌部の長さの５０パーセントより大きい長さを有する請求項１ないし４のいずれかに記載のハンガ。
【請求項６】
前記舌部が前記交差部に極めて接近したセグメントを含み、前記ベースが前記壁に取り付けられたとき、前記交差部に極めて接近した前記舌部セグメントが前記細長い支持構造物を支持するための弓形表面を含む請求項２ないし５のいずれかに記載のハンガ。
【請求項７】
前記弓形支持表面が、前記ベースに平行な平面における前記舌部の断面で円の扇形である請求項６に記載のハンガ。
【請求項８】
前記ベースが前記壁に取り付けられたとき、前記支持表面を含む前記舌部セグメントの垂直断面が前記支持表面の反対側に外部下部表面を備え、前記支持表面および外部下部表面を備える前記舌部の前記断面が、異なる半径をもつ同軸円の扇形であり、前記支持表面の半径が前記外部下部表面の半径より大きい請求項１ないし７のいずれかに記載のハンガ。
【請求項９】
前記支持表面および外部下部表面がそれぞれ、ほぼ９０度の弓形範囲をもつ請求項８に記載のハンガ。
【請求項１０】
前記支持表面が、ほぼ９０度の弓形範囲をもつ請求項１ないし８のいずれかに記載のハンガ。
【請求項１１】
前記棚部が、前記ベースが前記壁に取り付けられたとき、前記棚部の中央部分が前記棚部の前記両縁部よりも高いような弓形形状をもつ請求項１ないし８のいずれかに記載のハンガ。
【請求項１２】
前記ベース、棚部および舌部が、前記ベースが前記壁に取り付けられたとき、棚部および舌部の全湾曲部が全垂直断面において前記ベースの前記前面から離れる方向に向けられ、９０度より小さいように配置される請求項１ないし１１のいずれかに記載のハンガ。
【請求項１３】
前記舌部が自由端を含む、前記ベースと交差する端部から遠い側に端部をもち、
前記自由端を含む前記舌部端部が、前記ベースに連結している前記舌部の部分より大きな角度で前記ベースから離れて延びる請求項１ないし１２のいずれかに記載のハンガ。
【請求項１４】
前記両縁部および前記中央領域を含み前記ベースから離れてほぼ上方向に延びる前記舌部の部分が、前記ベースの前面を含む平面から、ほぼ一定の角度で傾斜して離れる請求項１ないし１３のいずれかに記載のハンガ。
【請求項１５】
前記ベース、舌部および突出部が、打抜板金から一体として形成される請求項１ないし１４のいずれかに記載のハンガ。
【発明の詳細な説明】
【技術分野】
【０００１】
本発明は、一般に物体を壁に掛けるためのハンガに関し、より詳細にはそこから舌部が延びるベースに対し凸面形状の舌部を含む壁ハンガに関する。本発明の別の態様は、舌部の下方でベースの前面の先まで延びる突出部を含むハンガであって、突出部の上部部分がほぼベースと舌部の交差部にあり、したがって交差部の舌部の一端が突出部の上部部分を圧迫するハンガに関する。
【背景技術】
【０００２】
多くの構造物が、額縁などの物体を壁に掛けるために開発されてきた。しかし、典型的な従来技術の構造物は、しばしばそれを取り付ける壁を損傷し、またいくつかの場合では掛ける物体を損傷する。従来技術の構造物の多くは、製造コストを比較的高くする傾向がある多くの湾曲部を備えた比較的複雑な形状をしている。さらに、それらの湾曲部は、しばしば構造を弱くさせ、構造の負荷容量を低下させる性質をもつ。また、従来技術の構造物の多くは、壁に掛ける物体に取り付けられたワイヤまたは他の細長い構造物のほつれを起こす原因になり得る。
【発明の開示】
【発明が解決しようとする課題】
【０００３】
したがって、本発明の一目的は、壁に掛ける物体用の新しく改良されたハンガを提供することである。
【０００４】
本発明の他の目的は、壁に掛ける物体用の新しく改良されたハンガであって、構造物が比較的廉価で、壁の損傷および掛ける物体への損傷が最小限に抑えられるように構成されたハンガを提供することである。
【０００５】
本発明のさらに他の目的は、壁に掛ける物体用の新しく改良されたハンガであって、たとえば打ち抜き加工によって簡単に廉価で作製することができる形状をもち、また打ち抜き加工された構造物の湾曲部が、その構造物が比較的強い構造強度をもち相当大きな負荷を保持できるようになっているハンガを提供することである。
【０００６】
本発明のさらに他の目的は、壁に掛ける物体用の新しく改良されたハンガであって、掛ける物体上で細長い構造物が容易にハンガに挿入され、ワイヤなど細長い構造物がほつれる傾向を実質的に最小限に抑えるように構成されるハンガを提供することである。
【課題を解決するための手段】
【０００７】
本発明の一態様によれば、壁に掛けるように適合された物体用のハンガは、壁に固定して取り付けるべきベースと、ベースから延びる舌部とを備え、したがってベースが壁に取り付けられたとき、舌部は舌部の一端がベースと交わるベースの領域からほぼ上方向に延びる実質的な部分を含む。ベースが壁に取り付けられたとき、舌部の端部およびベースの交差部に極めて接近した舌部セグメントは、物体に取り付けられたワイヤなど細長い支持構造物を受けまたそれを保持するように配置される。ほぼ上方向に延びる舌部部分は、中央領域と、中央領域と比べてベースの後面を画定する平面からより離れるように配置される両縁部とを備え、したがって上に延びる舌部部分がベースに対して凸面構造をもつ。凸面構造は、まっすぐな断面をもつ舌部、または舌部の両縁部が舌部の中央領域より後面に距離が近いような断面、すなわちベースに対して凹面の構成よりも、舌部が高い曲げ弾性率をもつことを可能にする。
【０００８】
本発明の別の態様は、壁に固定して取り付けるべきベースと、ベースから延びる舌部とを含む壁に掛けるように適合された物体用のハンガに関し、したがってベース板が壁に取り付けられたとき、舌部が、その一端がベースと交わるベースの領域からほぼ上方向に壁から離れて延びる。ベースが壁に取り付けられたとき、舌部とベースの交差部に極めて接近した舌部セグメントは、物体に取り付けられたワイヤなど細長い支持構造物を受けまたそれを保持するように配置される。ベースは、舌部の下方でベースの前面から離れてその先まで延びる突出部を含む。突出部は実質的に上部部分が交差部のところにあり、したがってベースと交わる少なくとも舌部の端部の一部分が、突出部の上部部分に当接し、それを押し付ける。
【０００９】
好ましくは、凸面構造をもつ実質的な舌部部分が、舌部の長さの５０パーセントより大きい長さを有して、曲げ弾性率をさらに増加させしたがって舌部により大きな剛性をもたらす。
【００１０】
ベース領域に極めて接近した舌部セグメントは、好ましくは細長い支持構造物を支持するための弓形表面を備えている。弓形支持表面は扇形であることが好ましい。
【００１１】
細長い構造物用の支持表面を含む舌部セグメントの垂直断面は、好ましくは支持表面および支持表面の反対側の舌部の外部底部表面が、異なる半径をもつ同軸円の扇形であるように配置される。支持表面の半径は反対側の底部表面半径より大きく、各表面は約９０度の弓形範囲を有する。この配置はまた、舌部の曲げ弾性率を増加させるのを助ける。
【００１２】
ベースが壁に取り付けられたとき、細長い支持構造物を受けるための舌部の表面はかなり水平に延びていることが好ましい。ベースの平らな前面と、ベースに面するほぼ垂直に延びる舌部の表面との間の受け表面の水平範囲は、細長い支持構造物を受けるための棚部を形成し、しばしばワイヤである他の構造物たとえば額縁のＵ字形フックでもあり得る細長い支持構造物のほつれを最小限に抑えるのに十分である。ほつれは、ベースが壁に取り付けられたとき、棚部の中央部分が棚部の両縁部よりも高いような弓形形状をもつ棚部を配置することによって、さらに小さく抑えられる。
【００１３】
ベース、棚部および舌部は、好ましくは、ベースが壁に取り付けられたとき、棚部および舌部の全湾曲部が、全垂直断面においてベースの前面から離れる方向に向けられるように配置される。このような構造は、舌部がベースから容易に打ち抜かれることを可能にし、（１）舌部の壊れやすさを最小限に抑え、（２）舌部上で細長い支持構造物を挿入することを容易にするのを助ける。
【００１４】
舌部の自由端を含む、したがってベースと交わる舌部の端部から遠い側の舌部の一端部は、好ましくは、ベースに連結している舌部の部分より大きな角度でベースから離れて延び、したがって舌部上での細長い構造物の挿入をさらに容易にする。
【００１５】
製造コストを最小限に抑えるために、ベース、舌部および突出部は好ましくは打抜板金から一体として形成される。
【００１６】
本発明における上記の、またさらに別の目的、特徴および利点が本発明の具体的な実施形態の以下の詳細な説明を、特に添付の図面と併せて考えることによって、明確になるであろう。
【発明を実施するための最良の形態】
【００１７】
次に、本発明のハンガ１１の好ましい実施形態が、ベース１２と、ハンガが固定壁１５、たとえばビルの壁に取り付けられたとき、図８に示すようにベースの前方で上方向に延びる舌部１４とを含めて示される図面によって参照される。ハンガ１１が絵画ハンガとして示されているが、ハンガは他の目的にも使用できることを理解されよう。ベース１２は平らな前壁１６と後壁１８とを含み、後壁は好ましくはＷｅｃｋ他によって米国特許第６，０９５，４６５号で開示されたタイプの緩衝構造物２０をもっている。ベース１２は、緩衝構造物２０を通って壁１５に届く釘２４を受けるための開口２２を含む。開口２２は、ベース１２の水平に延びる中心線とベースの上部縁部の間で、中心線の上方ほぼ８０パーセントのところにある。ベース１２および舌部１４の交差部２６が、ハンガ１１に取り付けられた額縁に固定して取り付けられたワイヤ２８を支持するための切込みを形成する。好ましくは、ハンガ１１は、舌部１４がベース１２から打ち抜き加工された、ほぼ１．５ミリメートルの厚さをもつ、または米国ゲージ１６の（０．０６０インチの厚さをもつ）冷間圧延帯鋼から形成される一体の打抜板金構造物である。
【００１８】
舌部１４は、ハンガが壁１５に取り付けられたとき、垂直に延びるベース１２の中心線に沿って上に延びる。（図面のこの詳細な説明において、すべての方向の参照、すなわち上、下、左側および右側は、ハンガがワイヤ２８を受ける位置で壁に掛けられていることを想定している。さらに、前面、後面、前、後の用語は、ハンガが壁１５に掛けられたときに関するものであり、壁から離れて延びるハンガ部分はハンガの前面にあり前に延びると想定し、また後面の場合はその逆である。）舌部１４とベース１２との間の交差部２６は、ベースの水平に延びる中心線とベースの下縁部の間で、中心線の下方ほぼ３分の２のところにある。開口２２および交差部２６の相対位置は、安定をもたらし、ハンガ１１の負荷取り扱い特性を最大にするのを助ける。
【００１９】
舌部１４は、ベース１２の後面１８の平面に対して上に延びる凸面部分を備える。上に延びる縁部３２および３４ならびに上に延びる中央領域３６を含む凸面部分は、舌部の全長の５０パーセントを越える。舌部１４の縁部３２および３４は、舌部の中央領域３６と比べて、ベース１２の前面１６および後面１８によって画定される両平面からより離れており、したがってベースに対して凸面部分を形成する。凸面部分を含む舌部１４の部分の水平断面では、図１０に示すように、舌部の後表面４０および前表面４２は、舌部後表面４０の半径がわずかに舌部前表面４０の半径より小さい、わずかに異なる半径をもつ同心円によって画定される弓形形状をもつ。好ましくは、弓形表面３８および４０は、それぞれほぼ９０度の角度範囲をもつ。
【００２０】
ベースに対してまっすぐになる舌部、またはベースに対して凹面になる舌部と比べて、ベース１２に対して凸面になるように舌部１４を形成することによって、舌部の曲げ弾性率が増加する。舌部１４の曲げ弾性率、すなわち舌部の剛性を増加させることによって、ハンガ１１が、より大きな重量をもつ物体を保持することが可能になる。
【００２１】
図４に示すように、弓形表面４０および４２をもつ、すなわち凸面構成をもつ舌部１４の部分は、ベース１２の前面１６に対して一定の傾斜角をもつ。その角はほぼ１５度であることが好ましい。舌部は、舌部のベース１２との交差部２６の付近からほとんど反対側の舌部の自由端４４まで凸面である。自由端４４を含む舌部部分は、舌部の残りの部分と比べて、ベース１２の前面１６から離れてより大きな角度で傾いており、したがってハンガ上にワイヤ２８を置くことを容易にしている。好ましい実施形態では、舌部１４の自由端４４は、ベース１２の前面１６の平面に対してほぼ４０度の角度で傾斜している。前面１６の平面に対し１５度から４０度の範囲に広がる舌部部分と、舌部部分が連結されている舌部セグメントとの間には滑らかで曲線的な移行がある。
【００２２】
ワイヤ２８は、舌部とベース１２との間の交差部２６に極めて近接した舌部１４の上部表面によって画定される、ほぼ水平に延びる棚部５０の上に載る。棚部５０は、ベース１２の前面１６と、凸面形状をもつ舌部の上方向に向く部分との間で、絵画ハンガのワイヤ２８の予想される直径を納めるのに十分な距離だけ前方にほぼ水平に延びる。そのような範囲は、ハンガのワイヤ２８が舌部１４の上方向に向く部分とベース１２との間に挟まれることを防止し、したがってワイヤの強度および完全性を維持する。５０ポンドまでの重量をもつ額縁を保持するために具体的に設計された好ましい一実施形態では、棚部５０は前縁部１６の前に４ミリメートルだけ突出する。
【００２３】
垂直な平面で、ハンガ１１が壁１５に取り付けられたとき、棚部５０は、中央部分が両側部部分より上になるような中央部分５２と両側部部分５４と５６とを備える弓形形状をもつ（図９）。棚部５０の反対側の、舌部１４の底部表面５８もまた弓形形状をもつ。棚部５０および底部表面５８は、共通の中心をもち、棚部５０を画定する半径が、底部表面５８を画定する半径より若干大きいようにわずかに異なる半径の円の扇形であることが好ましい。そのような構造は、起こり得るほつれおよびワイヤ２８への他の損傷を最小限に抑え、ハンガ１１の負荷能力を増大させる。
【００２４】
上述のことから、舌部１４の全部分は、前面１６から離れて９０度を決して越えない角度まで段々角度を増大させながら曲がる。そのような構造は、打抜操作用の工具を簡単にすることを可能にし、したがって実質的な経済的利点をもたらし、材料的には舌部の壊れやすさを低減させる。
【００２５】
図１、４および７に示すように、ベース１２は、前面１６の先まで延び、垂直に延びる舌部１４の中心線と一致する垂直でまっすぐな中心線６５で交差する平らな三角形状の面６２および６４を含む突出部６０を含み、したがって突出部はピラミッドの形状をもつ。面６２および６４は、それぞれ、互いにまた中心線６５と、点６７で交差する傾斜したまっすぐな等しい長さの縁部６６および６８を含む。縁部６６および６８は、点６７から分岐して、面６２と６４とベース１２の前面１６との間で交差部を形成する。面６２および６４は、中心線６５に沿ってほぼ９０度の角度で互いに交差する。面６２および６４は、ベース１２の後面１８から４５度の角度で上方向に延び、ベース１２の前面１６の先まで延びる。棚部５０の反対側の、舌部１４の底部表面５８の中央部分が、舌部１４を形成する打抜操作と同じ打抜操作によって形成された突出部６０の面６２および６４の最上部部分を押し付ける。ベース１２の後面１８から見ると、突出部６０は、くぼみ（ｄｉｍｐｌｅ）と同様である。
【００２６】
１．５ミリメートルの厚さの鋼から形成される５０ポンド用のハンガの場合、突出部６０は、（１）ベース１２の前面１６の先まで２．５ミリメートル延び、（２）棚部５０の反対側の舌部１４の部分の中央部分が押し付ける、その最上部部分に沿って水平方向に４ミリメートルの長さをもつ。したがって、ベース１２の中心を通る垂直断面において、ベース１２の後面１８から、底部表面５８の中心と交差する突出部の最前部分までの突出部６０の最上部部分の水平範囲は４ミリメートルであり、前面１６の平面に一致し、中心線６５と９０度の角をなす線に沿う突出部６０の最上部部分の水平範囲は４ミリメートルである。突出部６０の形状およびその棚部５０の下の舌部１４の底部と隣接する荷重負担関係が、舌部の曲げ弾性率をさらに増大させ、したがって、棚部５０に追加の強度をもたらすことによってハンガの保持容量を増大させる。
【００２７】
ハンガ１１を壁１５に取り付けるために、ハンガのベース１２の上部部分は、各々が釘２４を受ける大きさに作られた１つまたは複数の円形開口２２を含む。開口２２の数は特定のハンガの負荷容量に依存する。最大５０ポンドの重量をもつ額縁または他の物体を掛けることができる具体的に図示されたハンガの場合、４個の開口２２が、１．８ミリメートルの直径の釘２４を受けるために設けられる。中心線に最も近い２個の開口を中心線から等距離に配置し、中心線から遠い２個の開口を中心線から等距離に配置するように、ベース１２の垂直中心線の両側に対で開口２２を配置する。各開口２２は、ベース１２の前面にリベット留めされたブッシング７２中に、ベースの上部縁部にかなり近接して形成される。ベース１２の後面１８が後方向に延びる突出部をもたないようにリベット留めが行われる。この目的のために、ベース１２の後面１８はディンプル７４を含む。ディンプル７４は、ベース１２の前面の先まで、ブッシング７２がリベット留めされる凹表面として延びる。
【００２８】
詳述された開口２２およびブッシング７２の構造は、ディンプル７４があることによって、釘２４がベース１２を壁１５に押し込まないので、非常に有利である。ブッシング７２は、面１６の平面に対する、開口２２およびブッシングの軸の角度に等しい所定の角度で釘を導いて、釘の挿入を容易にし、時期尚早に釘が穴２２からはずれることを防止する。パッド２０も、釘が壁１５に打ち込まれる前において、釘２４を所定の位置に保持するのを助ける。ブッシング７２があることに起因する、好ましくは４５度の穴２２の軸の所定の角度は、釘が壁の中に挿入される長さまたは埋め込まれる長さを増大させることで、壁１５と釘２４との間の接触表面を増大させるのを助ける。この構造が、他のハンガと比べて、このハンガの負荷能力を増大させるのを助ける。
【００２９】
本発明の特定の一実施形態を記載し図示してきたが、具体的に図示し記載した実施形態の詳細に、添付の特許請求の範囲に定義された本発明の本当の趣旨および範囲を逸脱することなく、変形を加えることができることは明白であろう。
【図面の簡単な説明】
【００３０】
【図１】本発明の好ましい実施形態に従う絵画ハンガの正面図である。
【図２】図１に示す絵画ハンガの背面図である。
【図３】図１に示す絵画ハンガの上面図である。
【図４】図１に示す絵画ハンガの線４−４に沿った側部断面図である。
【図５】図１に示す絵画ハンガの線５−５に沿った側部断面図である。
【図６】図１に示す絵画ハンガの線６−６に沿った側部断面図である。
【図７】図４の線７−７に沿った側部断面図である。
【図８】壁に取り付けられ、額縁のワイヤがハンガの舌部とハンガのベースとの間の切込みに載る、図１の絵画ハンガの一部の側部断面図である。
【図９】図８に示す構造物の線９−９に沿った側部断面図である。
【図１０】図８の線１０−１０に沿った舌部の水平断面図である。
【図１】
2005510270.tif 000003
【図２】
2005510270.tif 000004
【図３】
2005510270.tif 000005
【図４】
2005510270.tif 000006
【図５】
2005510270.tif 000007
【図６】
2005510270.tif 000008
【図７】
2005510270.tif 000009
【図８】
2005510270.tif 000010
【図９】
2005510270.tif 000011
【図１０】
2005510270.tif 000012
【国際調査報告】
2005510270.tif 000013
2005510270.tif 000014
2005510270.tif 000015